【手続補正書】
【提出日】平成19年4月9日(2007.4.9)
【手続補正１】
【補正対象書類名】明細書
【補正対象項目名】発明の名称
【補正方法】変更
【補正の内容】
【発明の名称】ＥＬ表示装置およびＥＬ表示装置の駆動方法
【手続補正２】
【補正対象書類名】明細書
【補正対象項目名】特許請求の範囲
【補正方法】変更
【補正の内容】
【特許請求の範囲】
【請求項１】  マトリックス状に配置されたＥＬ素子と、前記ＥＬ素子に電流を供給する駆動用トランジスタ素子と、前記ＥＬ素子の電流経路に配置された第１のスイッチング素子と、前記駆動用トランジスタ素子にプログラム電流またはプログラム電圧を印加するソースドライバ回路と、前記駆動用トランジスタ素子と前記ソースドライバ回路の信号経路に配置された第２のスイッチング素子を具備したＥＬ表示装置の駆動方法であって、
前記第１のスイッチング素子を、１フレーム期間または１フィールド期間において、少なくとも複数回以上オフ状態に制御することを特徴とする、ＥＬ表示装置の駆動方法。
【請求項２】  マトリックス状に配置されたＥＬ素子と、前記ＥＬ素子に電流を供給する駆動用トランジスタ素子と、前記ＥＬ素子の電流経路に配置された第１のスイッチング素子と、前記駆動用トランジスタ素子にプログラム電流またはプログラム電圧を印加するソースドライバ回路と、前記駆動用トランジスタ素子と前記ソースドライバ回路の信号経路に配置された第２のスイッチング素子を具備したＥＬ表示装置の駆動方法であって、
前記第２のスイッチング素子をクローズして、前記駆動用トランジスタ素子にプログラム電流またはプログラム電圧が印加され、前記期間は前記第１のスイッチング素子はオープン状態で制御されることを特徴とする、ＥＬ表示装置の駆動方法。
【請求項３】  マトリックス状に配置されたＥＬ素子を有するアクティブマトリクス型ＥＬ表示装置の駆動方法であって、
前記ＥＬ素子を所定輝度よりも高輝度で発光する電流を前記ＥＬ素子に供給し、１フレームまたは１フィールドの１／Ｎ（Ｎ＞１）期間、前記ＥＬ素子を発光させることを特徴とするＥＬ表示装置の駆動方法。
【請求項４】  マトリックス状に配置されたＥＬ素子を有するアクティブマトリクス型ＥＬ表示装置の駆動方法であって、
所定輝度よりも高い輝度で前記ＥＬ素子を発光させ、１／Ｎ（Ｎ＞１）の表示領域を表示し、
前記１／Ｎの表示領域位置を順次シフトして全画面を表示することを特徴とするＥＬ表示装置の駆動方法。
【請求項５】  フレームの１／Ｎの期間は、複数期間に分割されていることを特徴とする請求項３または４記載のＥＬ表示パネルの駆動方法。
【請求項６】  マトリックス状に配置されたＥＬ素子と、プログラム電流を出力するソースドライバ回路と、画素行を順次選択するゲートドライバ回路とを具備したアクティブマトリクス型ＥＬ表示装置の駆動方法であって、
前記ゲートドライバ回路が、複数画素行を同時に選択して、前記ソースドライバ回路からの前記プログラム電流を前記複数の画素行に印加することを特徴とするＥＬ表示装置の駆動方法。
【請求項７】  マトリックス状に配置されたＥＬ素子と、
前記ＥＬ素子に電流を供給する駆動用トランジスタ素子と、
前記ＥＬ素子の電流経路に配置された第１のスイッチング素子と、
前記駆動用トランジスタ素子にプログラム電流またはプログラム電圧を印加するソースドライバ回路と、
前記駆動用トランジスタ素子と前記ソースドライバ回路の信号経路に配置された第２のスイッチング素子を具備し、
前記第１のスイッチング素子が、１フレーム期間または１フィールド期間において、少なくとも複数回以上オフ状態に制御されることを特徴とする、ＥＬ表示装置
【請求項８】  マトリックス状に配置されたＥＬ素子と、
前記ＥＬ素子に電流を供給する駆動用トランジスタ素子と、
前記ＥＬ素子の電流経路に配置された第１のスイッチング素子と、
前記駆動用トランジスタ素子にプログラム電流またはプログラム電圧を印加するソースドライバ回路と、前記駆動用トランジスタ素子と前記ソースドライバ回路の信号経路に配置された第２のスイッチング素子を具備し、
前記第２のスイッチング素子をクローズして、前記駆動用トランジスタ素子にプログラム電流またはプログラム電圧が印加され、前記期間は前記第１のスイッチング素子はオープン状態で制御されることを特徴とする、ＥＬ表示装置。
【請求項９】  マトリックス状に配置されたＥＬ素子を有するアクティブマトリクス型ＥＬ表示装置であって、
前記ＥＬ素子を所定輝度よりも高輝度で発光する電流を前記ＥＬ素子に供給し、１フレームまたは１フィールドの１／Ｎ（Ｎ＞１）期間、前記ＥＬ素子を発光させることを特徴とするＥＬ表示装置。
【請求項１０】  マトリックス状に配置されたＥＬ素子を有するアクティブマトリクス型ＥＬ表示装置であって、
所定輝度よりも高い輝度で前記ＥＬ素子を発光させ、１／Ｎ（Ｎ＞１）の表示領域を表示し、
前記１／Ｎの表示領域位置を順次シフトして全画面を表示することを特徴とする、ＥＬ表示装置。
【請求項１１】  フレームの１／Ｎの期間は、複数期間に分割されていることを特徴とする請求項９または１０記載のＥＬ表示装置。
【請求項１２】  マトリックス状に配置されたＥＬ素子と、
プログラム電流を出力するソースドライバ回路と、
画素行を順次選択するゲートドライバ回路とを具備し、
前記ゲートドライバ回路が、複数画素行を同時に選択して、前記ソースドライバ回路からの前記プログラム電流を前記複数の画素行に印加することを特徴とする、ＥＬ表示装置。
【請求項１３】  マトリックス状に配置されたＥＬ素子と、  
前記ＥＬ素子に電流を供給する駆動用トランジスタ素子と、
前記ＥＬ素子の電流経路に配置された第１のスイッチング素子と、
前記駆動用トランジスタ素子にプログラム電流を印加するソースドライバ回路を具備し、
前記駆動用トランジスタ素子はＰチャンネルトランジスタであり、
前記ソースドライバ回路のプログラム電流を発生させる単位トランジスタはＮチャンネルトランジスタであることを特徴とするＥＬ表示装置。
【請求項１４】  マトリックス状に配置されたＥＬ素子と、  
前記ＥＬ素子に流す電流を供給する駆動用トランジスタ素子と、
前記ＥＬ素子の電流経路に配置された第１のスイッチング素子と、
前記駆動用トランジスタにプログラム電流を供給するソースドライバ回路と、
画素行を順次選択するゲートドライバ回路を具備し、
前記駆動用トランジスタ素子はＰチャンネルトランジスタであり、
前記ソースドライバ回路のプログラム電流を発生させる単位トランジスタはＮチャンネルトランジスタであり、
前記ソースドライバ回路は、Ｄビット数に対応するＤ個のスイッチを有し、前記各スイッチには、２の乗数個のＮチャンネルトランジスタが配置されていることを特徴とするＥＬ表示装置。
【請求項１５】  前記ゲートドライバ回路は、前記駆動用トランジスタ素子と同一プロセスで形成され、
前記ソースドライバ回路は、半導体チップで形成されていることを特徴とする請求項１４記載のＥＬ表示装置。
【請求項１６】 ＥＬ素子を有する画素がマトリックス状に形成された表示部と、
前記ＥＬ素子に供給する電流の大きさを前記画素に保持させるのに必要な電流を制御する第１のゲート信号線と、
前記ＥＬ素子に供給する電流を制御する第２のゲート信号線を具備することを特徴とするＥＬ表示装置。
【手続補正３】
【補正対象書類名】明細書
【補正対象項目名】０００１
【補正方法】変更
【補正の内容】
【０００１】
【発明の属する技術分野】  本発明は、主として自発光で画像を表示するＥＬ表示装置などとこれらのＥＬ表示装置などを用いた携帯電話などの情報表示装置などに関するものである。また、ＥＬ表示装置などを駆動する駆動回路に関するものである。
【手続補正４】
【補正対象書類名】明細書
【補正対象項目名】０００５
【補正方法】変更
【補正の内容】
【０００５】
【課題を解決するための手段】  本発明は、マトリックス状に配置されたＥＬ素子と、      前記ＥＬ素子に電流を供給する駆動用トランジスタ素子と、前記ＥＬ素子の電流経路に配置された第１のスイッチング素子と、前記駆動用トランジスタ素子にプログラム電流またはプログラム電圧を印加するソースドライバ回路と、前記駆動用トランジスタ素子と前記ソースドライバ回路の信号経路に配置された第２のスイッチング素子を具備したＥＬ表示装置の駆動方法であって、
前記第１のスイッチング素子を、１フレーム期間または１フィールド期間において、少なくとも複数回以上オフ状態に制御することを特徴とする、ＥＬ表示装置の駆動方法などである。
【手続補正５】
【補正対象書類名】明細書
【補正対象項目名】００３７
【補正方法】変更
【補正の内容】
【００３７】
また、基板７１、８５を直接着色することにより、モザイク状のカラーフィルターを形成してもよい。基板にインクジェット印刷などの技術を用いて染料、色素などを塗布し、浸透させる。浸透後、高温で乾燥させ、また、表面をＵＶ樹脂などの樹脂、酸化シリコンあるいは酸化窒素などの無機材料で被覆すればよい。また、グラビア印刷技術、オフセット印刷技術、スピンナーで膜を塗布し、現像する半導体パターン形成技術などでカラーフィルターを形成する。同様に技術を用いてカラーフィルターの他、黒色もしくは暗色あるいは変調する光の補色の関係にある着色によりブラックマトリックス（ＢＭ）を直接形成してもよい。また、基板面に画素に対応するように凹部を形成し、この凹部にカラーフィルター、ＢＭあるいはトランジスタを埋め込むように構成してもよい。特に表面をアクリル樹脂で被膜することが好ましい。この構成では画素電極面などが平坦化されるという利点もある。
【手続補正６】
【補正対象書類名】明細書
【補正対象項目名】０１１９
【補正方法】変更
【補正の内容】
【０１１９】
また、トランジスタはＬＤＤ（ｌｉｇｈｔｌｙ  ｄｏｐｅｄ  ｄｒａｉｎ）構造を採用することが好ましい。なお、トランジスタとは、ＦＥＴなどスイッチングなどのトランジスタ動作をするすべての素子一般を意味する。また、ＥＬ膜の構成、パネル構造などは単純マトリックス型表示パネルにも適用できることは言うまでもない。また、本明細書ではＥＬ素子として有機ＥＬ素子（ＯＥＬ、ＰＥＬ、ＰＬＥＤ、ＯＬＥＤなど多種多様な略称で記述される）１５を例にあげて説明するがこれに限定するものではなく、無機ＥＬ素子にも適用されることは言うまでもない。
【手続補正７】
【補正対象書類名】明細書
【補正対象項目名】０１２０
【補正方法】変更
【補正の内容】
【０１２０】
まず、有機ＥＬ表示パネルに用いられるアクティブマトリックス方式は、１、特定の画素を選択し、必要な表示情報を与えられること。２、１フレーム期間を通じてＥＬ素子に電流を流すことができることという２つの条件を満足させなければならない。
【手続補正８】
【補正対象書類名】明細書
【補正対象項目名】０１４６
【補正方法】変更
【補正の内容】
【０１４６】
なお、トランジスタ１１ａのゲートとトランジスタ１１ｃのゲートは同一のゲート信号線１７ａに接続している。しかし、トランジスタ１１ａのゲートとトランジスタ１１ｃのゲートとを異なるゲート信号線１７に接続してもよい（図３２を参照のこと）。１画素のゲート信号線は３本となる（図１の構成は２本である）。トランジスタ１１ｂのゲートのＯＮ／ＯＦＦタイミングとトランジスタ１１ｃのゲートのＯＮ／ＯＦＦタイミングを個別に制御することにより、トランジスタ１１ａのばらつきによるＥＬ素子１５の電流値バラツキをさらに低減することができる。
【手続補正９】
【補正対象書類名】明細書
【補正対象項目名】０１５９
【補正方法】変更
【補正の内容】
【０１５９】
また、蓄積容量１９の容量値をＣｓ（ｐF）、第２のトランジスタ１１ｂのオフ電流値をＩｏｆｆ（ｐＡ）とした場合、次式を満足させることが好ましい。
【手続補正１０】
【補正対象書類名】明細書
【補正対象項目名】０２１３
【補正方法】変更
【補正の内容】
【０２１３】
図９のようにゲートドライバ回路１２をソースドライバ回路１４の横に配置すると、ゲート信号線１７を辺Ｃに沿って形成し、画面表示領域５０まで形成する必要がある。
【手続補正１１】
【補正対象書類名】明細書
【補正対象項目名】０２７５
【補正方法】変更
【補正の内容】
【０２７５】
本発明は、画素への書き込み電流を所定値以外の値にし、ＥＬ素子１５に流れる電流を間欠状態にして駆動することに特徴がある。本明細書では説明を容易にするため、Ｎ倍の電流値を画素のトランジスタ１１に書き込み、ＥＬ素子１５のオン時間を１／Ｎにするとして説明する。しかし、これに限定するものではなく、Ｎ１倍の電流値を画素のトランジスタ１１に書き込み、ＥＬ素子１５のオン時間を１／Ｎ２（Ｎ１とＮ２とは異なる）でもよいことは言うまでもない。なお、間欠する間隔は等間隔に限定するものではない。たとえば、ランダムでもよい（全体として、表示期間もしくは非表示期間が所定値（一定割合）となればよい）。また、ＲＧＢで異なっていてもよい。つまり、白（ホワイト）バランスが最適になるように、Ｒ、Ｇ、Ｂ表示期間もしくは非表示期間が所定値（一定割合）となるように調整（設定）すればよい。また、説明を容易にするため、１Ｆ（１フィールドまたは１フレーム）を基準にして、この１Ｆでのオン期間を１／Ｎにするとして説明する。しかし、１画素行が選択され、電流値がプログラムされる時間（通常、１水平走査期間（１Ｈ））があるし、また、駆動走査状態によっては誤差も生じる。したがって、以上の説明はあくまでも説明を容易にするための便宜状の問題であり、これに限定するものではない。
【手続補正１２】
【補正対象書類名】明細書
【補正対象項目名】０２８６
【補正方法】変更
【補正の内容】
【０２８６】
今、電流Ｉ１が本来流す電流（所定値）のＮ倍であるとすると、図３（ｂ）のＥＬ素子１５に流れる電流もＮ倍となる。したがって、所定値のＮ＝１０倍の輝度でＥＬ素子１５は発光する。つまり、図１２に図示するように、倍率Ｎを高くするほど、表示パネルの表示輝度Ｂも高くなる。したがって、倍率と輝度とは比例関係となる。トランジスタ１１ｄのオン（クローズ）期間を１／Ｎに駆動することにより、輝度と倍率とは反比例の関係となる。
【手続補正１３】
【補正対象書類名】明細書
【補正対象項目名】０２９７
【補正方法】変更
【補正の内容】
【０２９７】
なお、本発明の駆動方法において、所定電流よりも高い電流をＥＬ素子１５に流れるようにし、ソース信号線１８の寄生容量を十分に充放電するという概念である。つまり、ＥＬ素子１５にＮ倍の電流を流さなくともよい。たとえば、ＥＬ素子１５に並列に電流経路を形成し（ダミーのＥＬ素子を形成し、このＥＬ素子は遮光膜を形成して発光させないなど）、ダミーＥＬ素子とＥＬ素子１５に分流して電流を流しても良い。たとえば、信号電流が０．２μＡのとき、プログラム電流を２．２μＡとして、トランジスタ１１ａには２．２μＡを流す。この電流のうち、信号電流０．２μＡをＥＬ素子１５に流して、残りの２μＡをダミーのＥＬ素子に流すなどの方式が例示される。
【手続補正１４】
【補正対象書類名】明細書
【補正対象項目名】０２９８
【補正方法】変更
【補正の内容】
【０２９８】
以上のように構成することにより、ソース信号線１８に流す電流をＮ倍に増加させることにより、駆動トランジスタ１１ａにＮ倍の電流が流れるようにプログラムすることができ、かつ、ＥＬ素子１５には、Ｎ倍よりは十分小さい電流をながることができることになる。以上の方法では、図５に図示するように、非点灯領域５２を設けることなく、全表示領域５０を画像表示領域５３とすることができる。
【手続補正１５】
【補正対象書類名】明細書
【補正対象項目名】０２９８
【補正方法】変更
【補正の内容】
【０２９８】
以上のように構成することにより、ソース信号線１８に流す電流をＮ倍に増加させることにより、駆動トランジスタ１１ａにＮ倍の電流が流れるようにプログラムすることができ、かつ、電流ＥＬ素子１５には、Ｎ倍よりは十分小さい電流を流すことができる。以上の方法では、図５に図示するように、非点灯領域５２を設けることなく、全表示領域５０を画像表示領域５３とすることができる。
【手続補正１６】
【補正対象書類名】明細書
【補正対象項目名】０２９９
【補正方法】変更
【補正の内容】
【０２９９】
図１３（ａ）は表示画像５０への書き込み状態を図示している。図１３（ａ）において、５１ａは書き込み画素行である。ソースドライバＩＣ１４から各ソース信号線１８にプログラム電流が供給される。なお、図１３などでは１Ｈ期間に書き込む画素行は１行である。しかし、何ら１Ｈに限定するものではなく、０．５Ｈ期間でも、２Ｈ期間でもよい。また、ソース信号線１８にプログラム電流を書き込むとしたが、本発明は電流プログラム方式に限定するものではなく、ソース信号線１８に書き込まれる信号は電圧である電圧プログラム方式でもよい。
【手続補正１７】
【補正対象書類名】明細書
【補正対象項目名】０３０７
【補正方法】変更
【補正の内容】
【０３０７】
図１７はゲート信号線１７の電圧波形およびＥＬの発光輝度を図示している。図１７で明らかなように、ゲート信号線１７ｂをＶｇｌにする期間（１Ｆ／Ｎ）を複数に分割（分割数Ｋ）している。つまり、Ｖｇｌにする期間は１Ｆ／（Ｋ・Ｎ）の期間をＫ回実施する。このように制御すれば、フリッカの発生を抑制でき、低フレームレートの画像表示を実現できる。また、この画像の分割数も可変できるように構成することが好ましい。たとえば、ユーザーが明るさ調整スイッチを押すことにより、あるいは明るさ調整ボリウムを回すことにより、この変化を検出してＫの値を変更してもよい。また、ユーザーが輝度を調整するように構成してもよい。表示する画像の内容、データにより手動で、あるいは自動的に変化させるように構成してもよい。
【手続補正１８】
【補正対象書類名】明細書
【補正対象項目名】０３０８
【補正方法】変更
【補正の内容】
【０３０８】
なお、図１７などにおいて、ゲート信号線１７ｂをＶｇｌにする期間（１Ｆ／Ｎ）を複数に分割（分割数Ｋ）し、Ｖｇｌにする期間は１Ｆ／（Ｋ・Ｎ）の期間をＫ回実施するとしたがこれ限定するものではない。１Ｆ／（Ｋ・Ｎ）の期間をＬ（Ｌ≠Ｋ）回実施してもよい。つまり、本発明は、ＥＬ素子１５に流す期間（時間）を制御することにより画像５０を表示するものである。したがって、１Ｆ／（Ｋ・Ｎ）の期間をＬ（Ｌ≠Ｋ）回実施することは本発明の技術的思想に含まれる。また、Ｌの値を変化させることにより、画像５０の輝度をデジタル的に変更することができる。たとえば、Ｌ＝２とＬ＝３では５０％の輝度（コントラスト）変化となる。また、画像の表示領域５３を分割する時、ゲート信号線１７ｂをＶｇｌにする期間は同一期間に限定するものではない。
【手続補正１９】
【補正対象書類名】明細書
【補正対象項目名】０３１１
【補正方法】変更
【補正の内容】
【０３１１】
ＥＬ表示装置では黒表示は完全に非点灯であるから、液晶表示パネルを間欠表示した場合のように、コントラスト低下もない。また、図１の構成においては、トランジスタ１１ｄをオンオフ操作するだけで、図３８の構成においては、トランジスタ素子１１ｅをオンオフ操作するだけで、間欠表示を実現することができる。これは、コンデンサ１９に画像データがメモリ（アナログ値であるから階調数は無限大）されている。つまり、各画素１６に、画像データは１Ｆの期間中は保持されている。この保持されている画像データに相当する電流をＥＬ素子１５に流すか否かをトランジスタ１１ｄ、１１ｅの制御により実現しているのである。
【手続補正２０】
【補正対象書類名】明細書
【補正対象項目名】０４０１
【補正方法】変更
【補正の内容】
【０４０１】
なお、図１６などでは、ゲート信号線１７ｂをＶｇｌにする期間（１Ｆ／Ｎ）を複数に分割（分割数Ｋ）し、Ｖｇｌにする期間は１Ｆ／（Ｋ・Ｎ）の期間をＫ回実施するとしたがこれ限定するものではない。１Ｆ／（Ｋ・Ｎ）の期間をＬ（Ｌ≠Ｋ）回実施してもよい。つまり、本発明は、ＥＬ素子１５に流す期間（時間）を制御することにより画像５０を表示するものである。したがって、１Ｆ／（Ｋ・Ｎ）の期間をＬ（Ｌ≠Ｋ）回実施することは本発明の技術的思想に含まれる。また、Ｌの値を変化させることにより、画像５０の輝度をデジタル的に変更することができる。たとえば、Ｌ＝２とＬ＝３では５０％の輝度（コントラスト）変化をなる。これらの制御も、本発明の他の実施例にも適用できることは言うまでもない（もちろん、以降に説明する本発明にも適用できる）。これらも本発明のＮ倍パルス駆動である。以上の実施例は、ＥＬ素子１５と駆動用トランジスタ１１ａとの間にスイッチング素子としてのトランジスタ１１ｄを配置（形成）し、このトランジスタ１１ｄを制御することにより、画面５０をオンオフ表示するものであった。この駆動方法により、電流プログラム方式の黒表示状態での電流書き込み不足をなくし、良好な解像度あるいは黒表示を実現するものであった。つまり、電流プログラム方式では、良好な黒表示を実現することが重要である。次に説明する駆動方法は、駆動用トランジスタ１１ａをリセットし、良好な黒表示を実現するものである。以下、図３２を用いて、その実施例について説明をする。
【手続補正２１】
【補正対象書類名】明細書
【補正対象項目名】０４０３
【補正方法】変更
【補正の内容】
【０４０３】
図１の画素構成でリセット駆動を実現するためには、トランジスタ１１ｂとトランジスタ１１ｃを独立してオンオフ制御できるように構成する必要がある。つまり、図３２で図示するようにトランジスタ１１ｂをオンオフ制御するゲート信号線１７ａ（ゲート信号線ＷＲ）、トランジスタ１１ｃをオンオフ制御するゲート信号線１７ｃ（ゲート信号線ＥＬ）を独立して制御できるようにする。ゲート信号線１７ａとゲート信号線１７ｃの制御は図６に図示するように独立した２つのシフトレジスタ６１で行えばよい。
【手続補正２２】
【補正対象書類名】明細書
【補正対象項目名】０４１８
【補正方法】変更
【補正の内容】
【０４１８】
したがって、ゲート信号線１７ａはゲートドライバ回路１２ａで操作し、ゲート信号線１７ｃはゲートドライバ回路１２ｂで操作する。そのため、トランジスタ１１ｂをオンさせて駆動用トランジスタ１１ａをリセットするタイミングと、トランジスタ１１ｃをオンさせて駆動用トランジスタ１１ａに電流プログラムを行うタイミングとを自由に設定できる。他の構成などは、以前に説明したものと同一または類似するため説明を省略する。
【手続補正２３】
【補正対象書類名】明細書
【補正対象項目名】０４８３
【補正方法】変更
【補正の内容】
【０４８３】
突き抜け電圧発生用のコンデンサ１９ｂの容量（容量をＣｂ（ｐＦ）とする）は、電荷保持用のコンデンサ１９ａの容量（容量とＣａ（ｐＦ）とする）と、トランジスタ１１ａの白ピーク電流時（画像表示で表示最大輝度の白ラスター時）のゲート（Ｇ）端子電圧Ｖｗ（Ｖ）を黒表示での電流を流す（基本的には電流は０である。つまり、画像表示で黒表示としている時）時のゲート（Ｇ）端子電圧Ｖｂ（Ｖ）が関連する。これらの関係は、
Ｃａ／（２００Ｃｂ）  ≦  ｜Ｖｗ−Ｖｂ｜  ≦  Ｃａ／（８Ｃｂ）
の条件を満足させることが好ましい。なお、｜Ｖｗ−Ｖｂ｜とは、駆動用トランジスタの白表示時の端子電圧と黒表示時の端子電圧との差の絶対値である（つまり、変化する電圧幅）。
【手続補正２４】
【補正対象書類名】明細書
【補正対象項目名】０４８８
【補正方法】変更
【補正の内容】
【０４８８】
また、電荷保持用のコンデンサ１９ａの容量をＣａ（ｐＦ）とし、スイッチング用のトランジスタ１１ｃまたは１１ｄ）のソース−ゲート容量Ｃｃ（ｐＦ）（突き抜け用のコンデンサがある場合には、その容量を加えた値）とし、ゲート信号線に印加される高電圧信号（Ｖｇｈ）（Ｖ）とし、ゲート信号線に印加される低電圧信号（Ｖｇｌ）（Ｖ）とした時、以下の条件を満足するように構成することにより、良好な黒表示を実現できる。
【手続補正２５】
【補正対象書類名】明細書
【補正対象項目名】０５０３
【補正方法】変更
【補正の内容】
【０５０３】
横軸は、逆バイアス電圧Ｖｍ（Ｖ）と１周期に逆バイアス電圧を印加した時間ｔ１の積に対する定格端子電圧Ｖ０の比である。たとえば、６０Ｈｚ（とくに６０Ｈｚに意味はないが）で、逆バイアス電圧Ｖｍ（Ｖ）を印加した時間が１／２（半分）であれば、ｔ１＝０．５である。また、経過時間０時間において、電流密度１００Ａ／平方メーターの電流の印加した時の端子電圧（定格端子電圧）が８（Ｖ）とし、逆バイアス電圧Ｖｍを８（Ｖ）とすれば、｜逆バイアス電圧×ｔ１｜／（定格端子電圧×ｔ２）＝｜−８（Ｖ）×０．５｜／（８（Ｖ）×０．５）＝１．０となる。
【手続補正２６】
【補正対象書類名】明細書
【補正対象項目名】０５０４
【補正方法】変更
【補正の内容】
【０５０４】
図４５によれば、｜逆バイアス電圧×ｔ１｜／（定格端子電圧×ｔ２）が１．０以上で端子電圧比の変化はなくなる（初期の定格端子電圧から変化しない）。逆バイアス電圧Ｖｍの印加による効果がよく発揮されている。しかし、｜逆バイアス電圧×ｔ１｜／（定格端子電圧×ｔ２）が１．７５以上で端子電圧比は増加する傾向にある。したがって、｜逆バイアス電圧×ｔ１｜／（定格端子電圧×ｔ２）は１．０以上にするように逆バイアス電圧Ｖｍの大きさおよび印加時間比ｔ１（もしくはｔ２、あるいはｔ１とｔ２との比率）を決定するとよい。また、好ましくは、｜逆バイアス電圧×ｔ１｜／（定格端子電圧×ｔ２）は１．７５以下になるように逆バイアス電圧Ｖｍの大きさおよび印加時間比ｔ１などを決定するとよい。
【手続補正２７】
【補正対象書類名】明細書
【補正対象項目名】０５０９
【補正方法】変更
【補正の内容】
【０５０９】
したがって、図４５の実施例では、映像表示を行う場合は横軸の値に０．２をかけるものとする必要がある。したがって、｜逆バイアス電圧×ｔ１｜／（定格端子電圧×ｔ２）は０．２以上にするように逆バイアス電圧Ｖｍの大きさおよび印加時間比ｔ１（もしくはｔ２、あるいはｔ１とｔ２との比率など）を決定するとよい。また、好ましくは、｜逆バイアス電圧×ｔ１｜／（定格端子電圧×ｔ２）は１．７５×０．２＝０．３５以下になるように逆バイアス電圧Ｖｍの大きさおよび印加時間比ｔ１などを決定するとよい。
【手続補正２８】
【補正対象書類名】明細書
【補正対象項目名】０５７０
【補正方法】変更
【補正の内容】
【０５７０】
本発明のソースドライバ回路１４のように、第１段のカレントミラー回路（電流源６３１）の電流を第２段のカレントミラー回路（電流源６３２）にコピーし、第２段のカレントミラー回路（電流源６３２）の電流を第３段にカレントミラー回路（電流源６３２）にコピーする構成である。この構成では、第１段のカレントミラー回路（電流源６３１）に接続される第２段のカレントミラー回路（電流源６３２）の個数は少ない。したがって、第１段のカレントミラー回路（電流源６３１）と第２段のカレントミラー回路（電流源６３２）とを密接して配置することができる。
【手続補正２９】
【補正対象書類名】明細書
【補正対象項目名】０５７１
【補正方法】変更
【補正の内容】
【０５７１】
密接してカレントミラー回路を構成するトランジスタを配置できれば、当然のことながら、トランジスタのばらつきは少なくなるから、コピーされる電流値のバラツキも少なくなる。また、第２段のカレントミラー回路（電流源６３２）に接続される第３段のカレントミラー回路（電流源６３３）の個数も少なくなる。したがって、第２段のカレントミラー回路（電流源６３２）と第３段のカレントミラー回路（電流源６３３）とを密接して配置することができる。
【手続補正３０】
【補正対象書類名】明細書
【補正対象項目名】０６７８
【補正方法】変更
【補正の内容】
【０６７８】
人間の輝度に対する視覚は２乗特性をもっている。つまり、２乗の曲線で変化する時、明るさは直線的に変化しているように認識される。しかし、図８３の関係であると、低輝度領域でも高輝度領域でも、ＥＬ素子１５に流す電流Ｉ（Ａ）と発光輝度Ｂ（ｎｔ）とは比例する。したがって、１ステップずつ変化させると、低階調部（黒領域）では、１ステップに対する輝度変化が大きい（黒飛びが発生する）。高階調部（白領域）は、ほぼ２乗カーブの直線領域と一致するので、１ステップに対する輝度変化は等間隔で変化しているように認識される。以上のことから、電流駆動方式（１ステップが電流きざみの場合）において（電流駆動方式のソースドライバ回路（ＩＣ）１４において）、黒表示領域が課題となる。
【手続補正３１】
【補正対象書類名】明細書
【補正対象項目名】０７４１
【補正方法】変更
【補正の内容】
【０７４１】
この課題に解決するため、図８９に図示するように、ソース端子７６１との出力端にスイッチ６４１ａを形成する。また、嵩上げ電流出力回路７０４ｃの出力段にスイッチ６４１ｂを形成または配置する。
【手続補正３２】
【補正対象書類名】明細書
【補正対象項目名】０７７８
【補正方法】変更
【補正の内容】
【０７７８】
基準電圧切り替えスイッチ１４８２は、ＩＣ１４内部の電子ボリウム回路５６１の出力電圧Ｖ２をオペアンプ７２２の入力とするか、端子１４８３に印加された外部からの基準電圧Ｖ１をオペアンプ７２２に入力するかを切り替える。Ｖ２電圧をオペアンプ７２２の入力とする場合は、このＩＣ（回路）１４はマスターモードで使用していることになる。この場合は、Ｖ２電圧は端子１４７１から出力され、端子１４７１に接続された配線１４６１に、スレーブとなるソースドライバＩＣ（回路）１４の調整基準電圧入力端子１４８３が接続されることになる。なお、先にも述べたが、マスター／スレーブの区別なしに複数個のソースドライバ回路（ＩＣ）１４が１つの基準電圧回路１４４１からの基準電圧Ｖrefを入力として動作する時は、切り替えスイッチ１４８２は不要である。基準電圧ＶrefまたはＩＣ内部で発生する調整基準電圧Ｖrsが各ＩＣのオペアンプ７２２の＋端子入力となるからである。また、他の事項については、先に説明しているので説明を省略する。
【手続補正３３】
【補正対象書類名】明細書
【補正対象項目名】０７８８
【補正方法】変更
【補正の内容】
【０７８８】
調整基準電圧入力端子１４８３ａと１４８３ｂ間は図１４８にも図示するように電気的に接続されている。したがって、ＩＣ１４ａの端子１４７１ａから出力された電圧ＶrsはＩＣ１４ｂの端子１４８３ｂに印加され、この電圧ＶrsがＩＣ１６ｂ内を介して端子１４８３ａに出力される。また、端子１４８３ａは隣接して実装されたＩＣ１４に端子１４８３に入力される。同様に、ＩＣ１４ａの端子１４７１ｂから出力された電圧ＶrsはＩＣ１４ｃの端子１４８３ａに印加され、この電圧ＶrsがＩＣ１６ｃ内を介して端子１４８３ｂに出力される。また、端子１４８３ｂは隣接して実装されたＩＣ１４に端子１４８３に入力される。以上のように端子１４８３、１４７１を配置または接続することにより、カスケードにＩＣを接続することできる。
【手続補正３４】
【補正対象書類名】明細書
【補正対象項目名】０７９３
【補正方法】変更
【補正の内容】
【０７９３】
ＩＣ１４ａの端子１４７１Ｂｂから出力された電圧ＶrsはＩＣ１４ｂの端子１４８３Ｂａに印加され、この電圧ＶrsがＩＣ１６ｂ内を介して端子１４８３Ｂｂに出力される。また、端子１４８３Ｂｂは隣接して実装されたＩＣ１４に端子１４８３に入力される。ＩＣ１４ａの端子１４７１Ｇｂから出力された電圧ＶrsはＩＣ１４ｂの端子１４８３Ｇａに印加され、この電圧ＶrsがＩＣ１６ｂ内を介して端子１４８３Ｇｂに出力される。また、端子１４８３Ｇｂは隣接して実装されたＩＣ１４に端子１４８３に入力される。同様に、ＩＣ１４ａの端子１４７１Ｒｂから出力された電圧ＶrsはＩＣ１４ｂの端子１４８３Ｒａに印加され、この電圧ＶrsがＩＣ１６ｂ内を介して端子１４８３Ｒｂに出力される。また、端子１４８３Ｒｂは隣接して実装されたＩＣ１４に端子１４８３に入力される。以上のように端子１４８３、１４７１を配置または接続することにより、カスケードにＩＣを容易に接続することできる。
【手続補正３５】
【補正対象書類名】明細書
【補正対象項目名】０９１２
【補正方法】変更
【補正の内容】
【０９１２】
以上のように、本発明の駆動方式において、任意の画素行は、図１２４（ａ）において、１フィールド（１フレーム）の４ｍｓｅｃ（好ましくは８ｍｓｅｃ）以上の期間は、４Ｈに１Ｈの期間表示され、その他の期間（１フィールド（１フレーム）の残りの期間）は、連続して非点灯（黒表示（黒挿入）あるいは低輝度表示）状態が維持される。したがって、説明を容易にするために、Ａ領域あるいはＢ領域と表現したが、時間的な観点から、Ａ期間あるいはＢ期間と表現するほうが適切である。つまり、Ａ領域（Ａ期間）は、連続して画像が点灯する期間であり、Ｂ領域（Ｂ期間）は画素行（画面５０）が間欠表示される期間である。以上の事項は図１２４（ｂ）あるいは他の本発明の実施例においても同様である。
【手続補正３６】
【補正対象書類名】明細書
【補正対象項目名】０９１５
【補正方法】変更
【補正の内容】
【０９１５】
図１２４においても、点灯画素行数を変化させることにより、画面５０の明るさを調整（変化）させることができる（図１１８と同様に、表示画素数５３を変化あるいは調整すればよい）。また、黒挿入領域（図１２４のＢ領域）の割合を変化させることにより、画像表示状態に応じて最適状態にすることができる。たとえば、静止画では、Ｂ領域が長くなることを避けるべきである。フリッカの発生の原因となるからである。静止画の場合は、表示画素行５３を分散して表示（画面５０内に配置）すべきである。たとえば、ＱＣＩＦパネルの場合は、画素行数が２２０本である。このうち、静止画で５５画素行を表示するのであれば、２２０／４４＝４であるから、４画素行ごとに１画素行を表示させればよい。２２０画素行のうち１０画素行を表示するのであれば、２２０／１０＝２２画素行に１画素行を表示させればよい。なお、図１２４においてＢ領域（Ｂ期間）は１つとしているが、これに限定するものではなく、２つ以上（複数）に分割あるいは分散させてもよいことはいうまでもない。